(57)【要約】【課題】  被検眼に対して複数個の眼光学特性の測定結果を取得した中から測定結果を選択する際に検者による判断の手間を軽減する。【解決手段】  眼光学特性を測定する測定手段と、マッピング画像及び数値情報からなる眼光学特性情報を取得する取得手段と、眼光学特性情報を表示する表示手段と、を備えることを特徴とする眼科装置において、被検眼測定時の測定精度情報と眼光学特性情報とを対応付けて複数記憶する記憶手段と、  複数の眼光学特性情報に対応する測定精度情報を用いて第1の選択条件に当てはめることにより第１選択条件に該当する眼特性情報を選択し，第１選択条件に基づいて選択された複数の眼特性情報に対応する測定精度情報を用いてさらに第２の選択条件に当てはめることにより一の眼光学特性情報を選択し，第２選択条件にて選択された一の眼光学特性情報を表示手段に選択表示させる選択手段と、を備える。【選択図】      図２
2007215950.tif 000002
【特許請求の範囲】
【請求項１】
被検眼の眼光学特性を測定する測定手段と、前記測定手段からの測定信号を演算処理することによりマッピング画像及び数値情報からなる被検眼の眼光学特性情報を取得する取得手段と、前記取得手段によって取得された眼光学特性情報を表示する表示手段と、を備えることを特徴とする眼科装置において、
前記測定手段による被検眼測定時の測定精度情報と前記眼光学特性情報とを対応付けて複数記憶する記憶手段と、
該記憶手段に記憶された複数の眼光学特性情報に対応する前記測定精度情報を用いて第1の選択条件に当てはめることにより第１選択条件に該当する前記眼特性情報を選択し，該第１選択条件に基づいて選択された複数の前記眼特性情報に対応する前記測定精度情報を用いてさらに第２の選択条件に当てはめることにより一の眼光学特性情報を選択し，該第２選択条件にて選択された前記一の眼光学特性情報を表示手段に選択表示させる特性情報選択手段と、
を備えることを特徴とする眼科装置。
【請求項２】
請求項１の眼科装置において、前記特性情報選択手段は、前記眼光学特性情報を前記被検眼の屈折異常をレーザを用いて矯正する屈折矯正手術の手術条件設定に用いるに適しているかを判定するための判定基準を前記選択条件とすることを特徴とする眼科装置。
【請求項３】
請求項２の眼科装置において、前記第１の選択条件は被検眼の瞳孔径が少なくとも所定の径を満たしているか、又は瞳孔の輪郭が全周に渡って検出されているかの何れかを含むことを特徴とする眼科装置。
【請求項４】
請求項３の眼科装置において、前記第２の選択条件は被検眼に対するアライメントズレ量、又は前記複数の眼特性情報から求められる等価球面値の平均値と個々の眼特性情報における等価球面値との差、の何れかを含むことを特徴とする眼科装置。
【請求項５】
請求項４の眼科装置において、前記特性情報選択手段は前記眼光学特性情報として，さらに眼屈折力分布データ又は波面収差データを含むことを特徴とする眼科装置。
【請求項６】
請求項１の眼科装置において、前記表示手段に選択表示された眼光学特性情報を所定のトリガ信号に基づいて装置外部のデータベースへ転送させるとともに，該転送時に選択されなかった前記眼光学特性情報を前記記憶部から破棄する転送手段を備えることを特徴とする眼科装置。
【発明の詳細な説明】
【技術分野】
【０００１】
本発明は、被検眼の角膜形状や眼屈折力分布等の被検眼の眼光学特性を測定する眼科装置に関する。
【背景技術】
【０００２】
被検眼の眼光学特性を測定し、その測定結果を表示モニタにマッピング表示する眼科装置が知られている。例えば、被検眼の角膜形状データ（角膜トポグラフィー）や眼屈折力分布もしくは波面収差データ等の眼光学特性情報を取得する眼科装置が知られており（特許文献１参照）、これらの眼科装置で取得された眼光学特性情報は、レーザを角膜に照射することにより被検眼の屈折矯正を行うレーザ屈折矯正手術に用いるための切除データの算出等に用いられる。
【特許文献１】特開平１０−１０８８３７号公報
【発明の開示】
【発明が解決しようとする課題】
【０００３】
ところで、上記のような眼科装置において、一つの被検眼に対して、眼光学特性の測定結果を複数個取得した場合、検者は、どの測定結果（眼光学特性情報）を用いたらよいかの選択判断は複雑であり、手間であった。
【０００４】
本発明は、上記問題点を鑑み、一つの被検眼に対して複数個の眼光学特性の測定結果を取得した中から測定結果を選択する際に、検者による判断の手間を軽減する眼科装置を提供することを技術課題とする。
【課題を解決するための手段】
【０００５】
上記課題を解決するために、本発明は以下のような構成を備えることを特徴とする。
【０００６】
（１）  被検眼の眼光学特性を測定する測定手段と、前記測定手段からの測定信号を演算処理することによりマッピング画像及び数値情報からなる被検眼の眼光学特性情報を取得する取得手段と、前記取得手段によって取得された眼光学特性情報を表示する表示手段と、を備えることを特徴とする眼科装置において、
前記測定手段による被検眼測定時の測定精度情報と前記眼光学特性情報とを対応付けて複数記憶する記憶手段と、
該記憶手段に記憶された複数の眼光学特性情報に対応する前記測定精度情報を用いて第1の選択条件に当てはめることにより第１選択条件に該当する前記眼特性情報を選択し，該第１選択条件に基づいて選択された複数の前記眼特性情報に対応する前記測定精度情報を用いてさらに第２の選択条件に当てはめることにより一の眼光学特性情報を選択し，該第２選択条件にて選択された前記一の眼光学特性情報を表示手段に選択表示させる特性情報選択手段と、
を備えることを特徴とする。
（２）  （１）の眼科装置において、前記特性情報選択手段は、前記眼光学特性情報を前記被検眼の屈折異常をレーザを用いて矯正する屈折矯正手術の手術条件設定に用いるに適しているかを判定するための判定基準を前記選択条件とすることを特徴とする。
（３）  （２）の眼科装置において、前記第１の選択条件は被検眼の瞳孔径が少なくとも所定の径を満たしているか、又は瞳孔の輪郭が全周に渡って検出されているかの何れかを含むことを特徴とする。
（４）  （３）の眼科装置において、前記第２の選択条件は被検眼に対するアライメントズレ量、又は前記複数の眼特性情報から求められる等価球面値の平均値と個々の眼特性情報における等価球面値との差、の何れかを含むことを特徴とする。
（５）  （４）の眼科装置において、前記特性情報選択手段は前記眼光学特性情報として，さらに眼屈折力分布データ又は波面収差データを含むことを特徴とする。
（６）  （１）の眼科装置において、前記表示手段に選択表示された眼光学特性情報を所定のトリガ信号に基づいて装置外部のデータベースへ転送させるとともに，該転送時に選択されなかった前記眼光学特性情報を前記記憶部から破棄する転送手段を備えることを特徴とする。
【発明の効果】
【０００７】
本発明によれば、一つの被検眼に対して複数個の眼光学特性の測定結果を取得した中から測定結果を選択する際に、検者による判断の手間を軽減することができる。
【発明を実施するための最良の形態】
【０００８】
以下、本発明の実施形態を図面に基づいて説明する。図１は、本実施形態に係る装置の光学系及び制御系を説明するための図である。
【０００９】
本実施形態の眼科装置の光学系は、被検眼の角膜上にプラチド指標を投影するプラチド指標投影光学系１０と、被検眼の前眼部を撮像する撮像光学系２０と、被検眼を固視させるための固視標呈示光学系３０と、被検眼角膜にＸＹ方向（上下左右）のアライメント用指標を投影するＸＹアライメント指標投影光学系４０と、被検眼角膜にＺ（作動距離）方向のアライメント用指標を投影しその反射光を検出することにより被検眼に対する装置本体のＺ方向のアライメント情報を検出する作動距離検出光学系４５（投影光学系４５ａ及び検出光学系４５ｂ）と、被検眼の眼屈折力分布又は波面収差を測定するための眼屈折力分布測定光学系１と、に大別される。
【００１０】
まず、プラチド投影光学系１０について説明する。１２は中央部に開口を持つ略半球状のプラチド板であり、光軸Ｌ１を中心にした同心円の多数の透光部と遮光部を持つリングパターンが形成されている。１３はＬＥＤ等の可視光を発する照明光源で、光源１３を発した光は反射板１４で反射され、プラチド板１２を背後からほぼ均一に照明するようになっている。被検眼角膜にはプラチドリング像が投影される。なお、プラチド板１２の外周には被検眼の前眼部を近赤外光にて照明する前眼部照明光源１５が設けられている。
【００１１】
また、反射板１４の背後には、光源４６とレンズ４７を備える作動距離検出用の指標投影光学系４５ａ、レンズ４８と位置検出素子４９を備える指標検出光学系４５ｂが配置されている。指標投影光学系４５ａにより角膜に形成された指標像の光束は、プラチド板１２及び反射板１４に設けられた開口を通り、指標検出光学系４５ｂのレンズ４８を介して位置検出素子４９に入射する。位置検出素子４９に入射した指標像の位置から装置に対する被検眼の作動距離のアライメント情報が検出される。
【００１２】
ビームスプリッタ２５により光軸Ｌ１と同軸にされる光軸Ｌ２上には、固視標呈示光学系３０が配置されており、より具体的には、可視の照明光源３１、固視標３２、レンズ３３が配置されている。光源３１によって照明された固視標３２からの光は、レンズ３３、ダイクロイックミラー２７、ハーフミラー２６、対物レンズ２３、ビームスプリッタ２５を介して、被検眼の眼底に投影される。なお、光源３１及び固視標３２は光軸Ｌ２方向に移動可能であり、被検眼に固視させる固視標３２の視度を変更し、被検眼に雲霧を掛ける。
【００１３】
可視光を透過し赤外光を反射するダイクロイックミラー２７により光軸Ｌ２と同軸にされる光軸Ｌ３上には、ＸＹアライメント指標投影光学系４０が配置されており、より具体的には、光源４１、レンズ４２が配置されている。光源４１からの光は、レンズ４２を介して、ダイクロイックミラー２７にて反射された後、前述の固視標３２からの光と同様の光路を経て、被検眼の角膜上に投影される。
【００１４】
ハーフミラー２６により光軸Ｌ２と同軸にされる光軸Ｌ４上には、撮像光学系２０が配置されており、より具体的には、撮像レンズ２１、二次元撮像素子２２が配置されている。被検眼前眼部からの光束は、ビームスプリッタ２５、対物レンズ２３、ビームスプリッタ２６、撮像レンズ２１を介して、撮像素子２２により撮像（受光）される。撮像素子２２は、被検眼の前眼部像の観察用に使用される他、角膜上に投影されるプラチド指標の撮像、光源４１により形成されるアライメント指標像の検出用として兼用される。
【００１５】
光軸Ｌ１上のビームスプリッタ２５の透過方向には、眼屈折力分布測定光学系１が配置されている。眼屈折力分布測定光学系１は、被検眼の眼底に測定指標を投影する投影光学系２と、投影光学系によって投影された眼底反射光を受光する受光光学系３と、ビームスプリッタ４と、対物レンズ６と、を含む。ビームスプリッタ４は、投影光学系２から発せられた測定光束を反射して被検眼方向に向かわせ、被検眼眼底にて反射された測定光束を透過し受光光学系３方向へと向かわせる。なお、被検眼の眼屈折力分布を測定するための光学系としては、位相差方式（例えば、特開平１０−１０８８３７号公報参照）や、ハルトマン板を用いた方式（例えば、特開平１０−２１６０９２号公報）のものが考えられる。
【００１６】
次に、制御系について説明する。７０は制御部であり、撮像素子２２からの撮像信号に基づいて被検眼の角膜形状データ（角膜曲率分布データ）を取得したり、眼屈折力分布測定光学系１の受光光学系３からの受光信号に基づいて被検眼の眼屈折力分布データ（波面収差データ）を取得する。また、制御部７０は、光源４１により角膜に形成された指標像が撮像素子２２により検出されるようになると、指標像の座標位置を得てＸＹ方向のアライメント情報を検出する。また、制御部７０は、位置検出素子４９からの信号によりＺ方向のアライメント情報を検出する。７５は表示モニタであり、撮像素子２２によって撮像される前眼部像や角膜形状データ等の取得結果が表示される。この場合、制御部７０による表示モニタ７５の表示制御によって、取得された角膜形状データ及び眼屈折力分布データに基づくマッピング表示が行われる。７２は記憶手段としてのメモリであり、制御部７０にて取得されたマッピング画像及び数値情報からなる眼光学特性情報（例えば、角膜形状情報及び眼屈折力分布情報）や、各眼光学特性を測定した時の測定精度情報（例えば、測定時の被検眼に対する装置本体のアライメントずれ、測定時における被検眼の瞳孔径など）などが記憶される。なお、表示モニタ７５は、タッチパネル方式を採用しており、検者が画面に触れることで、各種入力作業を行うことができるようになっている（例えば、画面上に測定完了ボタンや測定モードを設定する設定スイッチなどが表示される）。また、制御部７０には、検者がアライメント作業を行うためのジョイスティック５が設けられている。なお、ジョイスティック５の頂部には、測定開始スイッチ５ａが設けられている。３００は本装置によって取得された眼光学特性データを記憶するデータベースであり、データベース３００に記憶された眼光学特性データは、被検眼の屈折異常をレーザ（例えば、エキシマレーザ）を用いて矯正する角膜矯正手術（以下、エキシマ手術）に利用される解析ソフトにおいて、角膜の切除データを算出するために用いられる。
【００１７】
以上のような構成を備える装置において、その動作について説明する。以下の説明では、被検眼の角膜形状データ及び眼屈折力分布データを複数回取得した場合について説明する。このとき、測定モードを所定の設定スイッチにより角膜形状測定／眼屈折力分布測定モードに設定しておく。
【００１８】
まず、検者は、被検者の顔を図示なき顔支持ユニットに固定させた後、ジョイスティック５を用いて被検眼に対するアライメントを行う。検者は、表示モニタ７５に表示される前眼部像を見ながらアライメントを行い、上下左右方向、及び作動距離方向のアライメントが適正な状態となったら、測定開始スイッチ５ａを押す。
【００１９】
測定開始スイッチ５ａが押されると、制御部７０はトリガ信号を発して眼屈折力分布測定光学系１により測定を実行する。投影光学系２に設けられた測定光源から測定光束が発せられると、ビームスプリッタ４、対物レンズ６を介して、被検眼の眼底に指標が投影される。そして、指標が投影された被検眼眼底からの反射光は、対物レンズ６、ビームスプリッタ４を介して受光光学系３に向かい、受光光学系３に設けられた受光素子に受光される。この場合、制御部７０は、予備測定を行い、予備測定で得られた屈折力に対して所定の雲霧量分だけ固視標３２を遠方に移動し、被検眼に雲霧をかけた状態で本測定を行う。これにより１つの眼屈折力分布データが取得されるので、制御部７０は、取得された眼屈折力分布データと、これに対応する被検眼測定時の測定精度情報（例えば、被検眼の瞳孔径、眼屈折力分布データから求められる等価球面値、被検眼に対するアライメントずれ量等）と、測定時の前眼部画像とを各々対応付けてメモリ７２に記憶させておく。なお、本実施形態においては、１回の測定開始スイッチ５ａの入力動作により１つの眼屈折力分布データが取得できるので、異なるタイミングで複数回測定開始スイッチ５ａを押すことにより、眼屈折力分布データと測定精度情報とを対応付けて複数メモリ７２に記憶される。なお、１回のトリガ信号に基づいてタイミングの異なる複数の受光信号を検出し、これに基づいて複数の眼屈折力分布データを取得するようにしてもよい。なお、本実施形態において、制御部７０は、測定の際に瞬きや大きなアライメントずれが検出されたデータについては、測定エラーとして判定され、眼屈折力分布データの取得を行わないようになっている。
【００２０】
眼屈折力分布測定が完了したら、角膜形状測定モードに移行する。ここで、検者は、被検眼の状態を整えるため、被検者に１、２回ゆっくりと瞬きをするように指示する。そして、被検眼に対するアライメントが適正な状態になっているのを確認した後、測定開始スイッチ５ａを押す。測定開始スイッチ５ａが押されると、制御部７０はトリガ信号を発して照明光源１３が点灯され、被検眼の角膜上にプラチド指標が投影される。そして、プラチド指標が投影された被検眼前眼部は、撮像素子２２によって撮像される。これにより１つの角膜形状データが取得されるので、制御部７０は、取得された角膜形状データと、これに対応する被検眼測定時の測定精度情報（例えば、被検眼に対するアライメントずれ量や、瞳孔の輪郭の検出の可否、等）と、測定時の前眼部画像とを各々対応付けてメモリ７２に記憶させておく。なお、本実施形態においては、１回の測定開始スイッチ５ａの入力動作により１つの角膜形状データが取得できるので、異なるタイミングで複数回測定開始スイッチ５ａを押すことにより、複数の角膜形状データとこれに対応する各測定精度情報がメモリ７２に記憶される。なお、本実施形態において、制御部７０は、測定の際に瞬きや大きなアライメントずれが検出されたデータについては、測定エラーとして判定され、角膜形状データの取得を行わないようになっている。
【００２１】
以上のようにして一方の眼の測定が完了したら、同様の方法で他方の眼を測定する。このようにして、測定が完了したら、表示モニタ７５の画面上に表示された測定完了ボタンを押す。測定完了ボタンが押されたら、制御部７０は、表示モニタ７５の画面を図２及び図３に示すようなマッピング画像と数値情報が表示されたデータ選択画面に切り換える。図２は眼屈折力分布データのデータ選択画面であり、図３は角膜形状データのデータ選択画面である。図２及び図３において、１００及び２００は前述のように取得された眼光学特性データ（眼屈折力分布データ及び角膜形状データ）をグラフィックにて表現するマッピング表示であり、１０１及び２０１は眼光学特性データの測定時における前眼部の撮像状態を示す前眼部画像であり、１０２及び２０２は眼光学特性データの数値情報や測定精度情報（以下、測定精度情報に省略）を示すものである。なお、表示画面の左側半分が右眼のデータであり、右側半分が左眼のデータである。上記のように複数のデータが取得された場合、制御部７０は、複数のマッピング表示１００及び２００、前眼部画像１０１及び２０１、測定精度情報１０２及び２０２、を表示モニタ７５に並列に表示させる。そして、制御部７０は、メモリ７２に記憶された複数の眼光学特性情報に対応する測定精度情報を用いて第１の選択条件に当てはめることにより第１選択条件に該当する眼特性情報を選択し，第１選択条件に基づいて選択された複数の眼特性情報に対応する測定精度情報を用いてさらに第２の選択条件に当てはめることにより一の眼光学特性情報を選択し，第２選択条件にて選択された一の眼光学特性情報を表示手段に選択表示させる。本実施形態では、並列表示された複数の眼光学特性情報から１つの眼光学特性情報を選択し，該選択された眼光学特性情報を前記表示手段に選択表示させる。なお、本実施形態では、所定の選択条件として、眼光学特性情報がエキシマ手術の手術条件設定に適しているかを判定するための判定基準としている。また、本実施形態では、選択された１つの眼光学特性データに対応する１つのマッピング表示を選択状態とする（枠１１０及び２１０で囲む）。なお、データ選択画面において選択状態となった眼光学特性データは、データベース３００に転送出力され、データベース３００に記憶される対象となる。なお、選択モード欄のＯＰＤは眼屈折力分布を意味しＣＴは角膜形状を意味するものであって、検者によって、ラジオボタンがＯＰＤを示すように選択入力されると図２の表示画面に切り換わり、ラジオボタンがＣＴを示すように選択入力されると図３の表示画面に切り換わる。
【００２２】
図４は、複数の眼屈折力分布データから１つの眼屈折力分布データを選択する際の処理を示すフローチャートの一例である。フローチャートは、測定時の被検眼の瞳孔径を判定するステップ（第１の選択条件）と、測定時の被検眼に対するアライメントずれ量を判定するステップ（第１の選択条件）と、複数取得された眼屈折力分布データの等価球面度数の平均値と個々の眼屈折力分布データの等価球面度数との差を判定するステップを含む（第２の選択条件）。この場合、制御部７０は、メモリ７２に記憶された各眼屈折力分布データの測定時の前眼部画像から、被検眼の瞳孔の輪郭部分を画像処理により抽出し、各眼屈折力分布データにおける測定時の被検眼の瞳孔径を予め算出しておくのが好ましい。また、メモリ７２に記憶された各眼屈折力分布データの測定時のアライメント情報から、各眼屈折力分布データにおける測定時の被検眼に対するアライメントずれ量を予め算出しておくのが好ましい。また、制御部７０は、メモリ７２に記憶された各眼屈折力分布データから、各眼屈折力分布データにおける所定の測定領域（例えば、直径３ｍｍ領域）での眼屈折力（Ｓ：球面度数、Ｃ：円柱度数）の等価球面値（ＳＥ値＝Ｓ＋Ｃ／２）を予め算出しておき、複数取得された眼屈折力分布データから求められる等価球面度数の平均値と、該平均値と個々の眼屈折力分布データにおける等価球面値との差を予め算出しておく。
【００２３】
瞳孔径を判定するステップでは、予め算出されたｎ番目の眼屈折力分布データにおける測定時の瞳孔径が少なくとも前述したエキシマ手術に必要な情報を取得するために必要となる所定の瞳孔径（例えば、直径６ｍｍ）を満たしているかどうか判定する。アライメントずれ量を判定するステップでは、予め算出されたｎ番目の眼屈折力分布データにおける測定時のアライメントずれ量が所定の許容アライメントずれ量（例えば、０．３ｍｍ以内）を満たしているかどうか判定する。なお、本実施形態においては、被検眼に対するアライメントずれの程度を判定するために、ＸＹＺ方向のアライメントずれ量の総和を用いているが、これに限るものではなく、測定精度への影響が大きいＺ方向のアライメントずれ量を用いるようにしてもよい。
【００２４】
等価球面度数の平均値と個々の等価球面度数との差を判定するステップでは、等価球面値の平均値とｎ番目の眼屈折力分布データにおける等価球面値との差が既に算出した最小値よりも小さい場合には、最小と判定されたｎ番目の眼屈折力分布データに対して選択フラグを立てておくと共に、平均のＳＥ値との差の最小値を更新する。例えば、ＳＥ値の平均が−３Ｄであって、１番目のデータのＳＥ値（−２．５Ｄ）との差が０．５Ｄ（絶対値）で最小であったが、ＳＥ値の平均と３番目のデータのＳＥ値（−２．７５Ｄ）との差が０．２５Ｄであるような場合には、最小と判定された３番目の眼屈折力分布データに対して選択フラグを立てておくと共に、平均のＳＥ値との差の最小値を０．２５Ｄに更新する。なお、本ステップでは、測定の際の被検眼の固視状態（雲霧状態）が最も適切なデータを選択することを目的とする。
【００２５】
制御部７０は、上記のような判定ステップを含むデータの選択処理において、最初に取得された眼屈折力分布データ（ｎ＝１）から順に選択処理を進めていき、測定回数＜ｎとなったら、選択処理を終了する。以上のような制御部７０による選択処理によって、測定時の被検眼の瞳孔径が所定瞳孔径を満たすと共に、測定時のアライメントずれ量が所定の許容アライメントずれ量を満たし、かつ、平均の等価球面度数との差が最小の眼屈折力分布データが、複数の眼屈折力分布データからエキシマ手術に適したデータとして選択される。そして、制御部７０は、選択された眼屈折力分布データに対応する１つのマッピング表示を選択状態として表示モニタ７５の画面上に表示させる。
【００２６】
図５は、複数の角膜形状データから１つの角膜形状データを選択する際の処理を示すフローチャートの一例である。フローチャートは、プラチド指標の撮像範囲を判定するステップ（第１の選択条件）と、撮像時の被検眼瞳孔の輪郭の検出を判定するステップ（第１の選択条件）と、測定時の被検眼に対するアライメントずれ量を判定するステップ（第１の選択条件）と、ｎ番目の角膜形状データの測定時のアライメントずれ量が既に比較した最小のデータより小さいかどうかを判定するステップ（第２の選択条件）を含む。この場合、制御部７０は、メモリ７２に記憶されたプラチド指標撮像時の前眼部画像から、プラチド指標が撮像された領域や瞳孔の輪郭等を予め求めておくのが好ましい。アライメントのずれ量に関しては、前述の眼屈折力分布データでの説明を参考にされたい。
【００２７】
プラチド指標の撮像範囲を判定するステップでは、予め算出されたｎ番目の角膜形状データにおけるプラチド指標の撮像範囲が少なくともエキシマ手術に必要な情報を取得するために必要となる撮像範囲（例えば、直径６ｍｍ）以上あるかどうか判定する。また、瞳孔の輪郭の検出を判定するステップでは、予め抽出された瞳孔画像の輪郭が睫等の影響をうけず全周に渡って適切に検出されているかどうか判定する。
【００２８】
アライメントずれ量が最小かどうか判定するステップでは、ｎ番目の角膜形状データにおける測定時のアライメントずれ量が既に算出された最小値よりも小さい場合には、最小と判定されたｎ番目の角膜形状データに対して選択フラグを立てておくと共に、アライメントずれ量の最小値を更新する。例えば、１番目のデータの測定時のアライメントずれ量が０．１ｍｍで最小であったが、３番目のデータの測定時のアライメントずれ量が０．０５ｍｍであるような場合には、最小と判定された３番目の角膜形状データに対して選択フラグを立てておくと共に、アライメントずれ量の最小値を０．０５ｍｍに更新する。
【００２９】
制御部７０は、上記のような判定ステップを含むデータの選択処理において、最初に取得された角膜形状データ（ｎ＝１）から順に選択処理を進めていき、測定回数＜ｎとなったら、選択処理を終了する。以上のような制御部７０による選択処理によって、プラチド指標の撮像範囲が所定の撮像範囲を満たすと共に、瞳孔の輪郭が適切に検出され、測定時のアライメントずれ量が所定の許容アライメントずれ量を満たし、かつ、測定時のアライメントずれ量が最小の角膜形状データが、複数の角膜形状データからエキシマ手術に適した角膜形状データとして選択される。そして、制御部７０は、選択された角膜形状データに対応する１つのマッピング表示を選択状態として表示モニタ７５の画面上に表示させる。
【００３０】
図２及び図３のデータ選択画面の説明に戻る。前述のようにデータ選択画面が開いた時点では、最適なデータが左右眼１つずつ選択された状態となっている。ただし、図４や図５のような選択処理において適切なデータがないとされた場合には、選択状態となるマッピング表示がない状態となる。なお、検者によって図示なきマウス等の指示手段を用いて、マニュアル操作により表示モニタ７５の画面上の未選択状態のマッピング表示１００、２００が押されると、制御部７０は、追加選択されたマッピング表示１００、２００を選択状態とする。これにより、複数の眼光学特性データを選択状態とすることが可能である（図６参照）。そして、追加選択され選択状態となったマッピング表示１００、２００がもう一度押されると、制御部７０は選択状態を解除しそのマッピング表示１００、２００を未選択状態とする。この場合、制御部７０のデータ選択処理を経て選択されたマッピング表示１００、２００においても、そのマッピング表示１００がもう一度押されると、選択状態が解除される。
【００３１】
以上のようにして、眼屈折力分布データ及び角膜形状データの選択作業が完了したら、検者は、表示モニタ７５の画面上のＳａｖｅ  ｔｏ  Ｄａｔａｂａｓｅボタン３０５を押す。制御部７０は、ボタン３０５によるトリガ信号に基づいて表示モニタ７５に選択表示された眼光学特性情報を装置外部のデータベース３００へ転送させるとともに、転送時に選択されなかった眼光学特性情報（マッピング表示１００）をメモリ７２から破棄する。
【００３２】
なお、データベース３００に記憶された眼光学特性データは、前述のように解析ソフトにおいて角膜切除データの算出に用いられる。解析ソフトでは、例えば、データベース３００に記憶された角膜形状データから角膜三次元形状を求め、スネルの法則を用いて、角膜屈折力に変換する。次に、データベース３００に記憶された眼屈折力分布データを角膜位置での眼屈折力分布のデータに変換する。これらにより、被検眼を正視とするに必要な屈折力を角膜屈折力の形式で表した値を求める。そして、この屈折力分布データを、スネルの法則を用いて角膜形状データ、すなわち、角膜の三次元形状データに変換する。最後に、手術領域のデータを与え、角膜形状測定による角膜曲率から求まる三次元形状に対して、屈折力分布を変換した角膜曲率データから求まる三次元形状データを差引くことにより角膜切除データが算出される。そして、算出された角膜切除データは、エキシマ手術を行うエキシマレーザ角膜手術装置に送られ、これに基づいて手術が行われる。
【図面の簡単な説明】
【００３３】
【図１】本実施形態に係る装置の光学系及び制御系を説明するための図である。
【図２】眼屈折力分布データのデータ選択画面である。
【図３】角膜形状データのデータ選択画面である。
【図４】複数の眼屈折力分布データから１つの眼屈折力分布データを選択する際の処理を示すフローチャートの一例である。
【図５】複数の角膜形状データから１つの角膜形状データを選択する際の処理を示すフローチャートの一例である。
【図６】データ選択画面において、複数の眼光学特性データを選択状態とした場合の図である。
【符号の説明】
【００３４】
１  眼屈折力分布測定光学系
１０  プラチド指標投影光学系
２０  前眼部撮像光学系
７０  制御部
７２  メモリ
７５  表示モニタ
１００  眼屈折力分布データをグラフィックにて表現するマッピング表示
１０１  眼屈折力分布データの測定時における前眼部画像
１０２  眼屈折力分布データの数値情報や測定精度情報
１１０  枠
２００  角膜形状データをグラフィックにて表現するマッピング表示
２０１  角膜形状データの測定時における前眼部画像
２０２  角膜形状データの数値情報や測定精度情報
２１０  枠
３００  データベース
３０５  Ｓａｖｅ  ｔｏ  Ｄａｔａｂａｓｅボタン
【図１】
2007215950.tif 000003
【図２】
2007215950.tif 000004
【図３】
2007215950.tif 000005
【図４】
2007215950.tif 000006
【図５】
2007215950.tif 000007
【図６】
2007215950.tif 000008